(57)【要約】【課題】本発明は、直列共振回路において所定の電圧を得ることができ、発熱を抑えることができるピックアップユニットを提供することを目的とする。【解決手段】両凹部にそれぞれ誘導線路Ｌが配置される、断面がＥ字形状の第１フェライト１１と、第１フェライト１１の各両側の凸部１１ａ上に重ねられる断面がＬ字形状の第２フェライト１２と、第１フェライト１１の中央の凸部１１ｂ上に重ねられるブロック形状の第３フェライト１３と、第１フェライト１１の中央の凸部１１ｂで、誘導線路Ｌに対向しない両側部に沿って接触する断面が半円形状の棒体３Ａが立設されたなる支持部材１４と、第１フェライト１１の中央の凸部１１ｂおよび支持部材１４の第１プレート３の両棒体３Ａに渡って巻かれたピックアップコイル１５と、支持部材１４の第２プレート４の裏面に接触して固定されたフィン１６とを設ける。【選択図】図１
2007195265.tif 000002
【特許請求の範囲】
【請求項１】
高周波電流が給電される一対の誘導線路により発生する磁束により起電力が誘起されるピックアップユニットであって、
両凹部に前記誘導線路が配置される、断面がＥ字形状の第１フェライトと、
断面が逆Ｌ字形状であり、その垂直部が前記第１フェライトの両側の各凸部上に重ねられ、水平部が前記第１フェライトの外方へ位置する第２フェライトと、
前記第１フェライトの中央の凸部上に、前記第２フェライトの垂直部に対向して配置された第３フェライトと、
前記第１フェライトの中央の凸部の両側部を支持する一対の非磁性金属製の支持具を備えて、前記第１フェライトと第２フェライトを外方から支持する非磁性金属製の支持部材と、
前記第１フェライトの中央の凸部および前記支持部材の両支持具に渡って巻かれたピックアップコイルと
を設けたこと
を特徴とするピックアップユニット。
【請求項２】
前記ピックアップコイルとして被覆付き絶縁電線を使用し、前記第１フェライトの中央の凸部および前記一対の支持具に渡って巻かれた前記被覆付き絶縁電線に対して、その広がりを防止する広がり防止手段を設けたこと
を特徴とする請求項１に記載のピックアップユニット。
【請求項３】
前記支持部材に、前記ピックアップコイルと前記誘導線路の周波数に共振する直列共振回路を形成する共振コンデンサを取り付けたこと
を特徴とする請求項１または請求項２に記載のピックアップユニット。
【請求項４】
前記共振コンデンサを２個のコンデンサにより構成し、これら２個のコンデンサを、前記第２フェライトの水平部を支持する前記支持部材の２つの水平支持部のうちの一方の裏面にまとめて取り付け、前記２個のコンデンサそれぞれの一方の端子間に前記ピックアップコイルを接続したこと
を特徴とする請求項３に記載のピックアップユニット。
【請求項５】
前記各支持具は、前記第１フェライトの中央の凸部の両側部の幅の寸法と同一の直径を有する半円柱形状の非磁性金属製の棒体により形成され、この半円柱形状の棒体の平面側面部をそれぞれ、第１フェライトの中央の凸部の両側部に接触させて前記ピックアップコイルが巻かれていること
を特徴とする請求項１〜請求項４のいずれか１項に記載のピックアップユニット。
【請求項６】
前記第１フェライトの凸部の高さと、この凸部上に重ねられた前記第２フェライトと第３フェライトの高さとを、同一としたこと
を特徴とする請求項１〜請求項５のいずれか１項に記載のピックアップユニット。
【請求項７】
前記第１フェライトを、断面がＥ字形状のフェライト板を複数連ねて形成し、
前記第２フェライトと第３フェライトを、同一の矩形状のフェライト板を複数組合せて形成したこと
を特徴とする請求項１〜請求項６のいずれか１項に記載のピックアップユニット。
【請求項８】
前記第３フェライトは、前記同一の矩形状のフェライト板をブロック形状または断面Ｕ字形状に組合せて形成されていること
を特徴とする請求項７に記載のピックアップユニット。
【請求項９】
前記支持部材の裏面に接触して冷却部材を設けたこと
を特徴とする請求項１〜請求項８のいずれか１項に記載のピックアップユニット。
【発明の詳細な説明】
【技術分野】
【０００１】
本発明は、高周波電流が給電される複数の誘導線路により発生する磁束により起電力が誘起されるピックアップユニットに関するものである。
【背景技術】
【０００２】
従来の上記ピックアップユニットが、例えば、特許文献１に開示されている。
この特許文献１に開示されているピックアップユニットは、断面がＥ形のフェライトを５個、その凸部を揃え所定の間隙を設けて横方向に並べ、各フェライトの中央の凸部に、フェライト板を載置し、このフェライト板ごと非磁性体のプレートを介してベース体にねじにより固定し、さらに横方向に並べたフェライトの中央の凸部の側面に渡って、たとえば１０〜２０ターンのリッツ線を巻いてピックアップコイルを形成し、またベース体の側部に取付け部材を取付けて構成されている。上記フェライト間の間隙は、誘導線路により発生する磁束により起電力が誘起されてピックアップコイルに電流が流れたとき、ピックアップコイルに発生する熱を逃がすために設けられている。
【０００３】
またこのようにコイルに発生した熱を放熱する構成として、例えば特許文献２に、コアを形成する多数の鉄片間に、コアの外周面に露出するように放熱フィンを設けたトランスの構成が開示され、特許文献３に、コア（鉄心）の外側面に多数のフィンを備えた熱伝導板を取り付け、この熱伝導板を取り付けたコアの周囲に、コイルを巻いた静止誘導電気機器の構成が開示されている。
【特許文献１】特開平９−２８４９０５号公報（図６）
【特許文献２】特開平１１−２７３９６４号公報
【特許文献３】特開２００２−２１７０４０号公報
【発明の開示】
【発明が解決しようとする課題】
【０００４】
上記ピックアップユニットを使用した無接触給電設備の２次側受電回路には、例えば特開２００２−３２０３４７号公報に開示されているように、直列共振回路を使用した回路がある。すなわち、複数のピックアップユニットのピックアップコイル毎に直列にコンデンサを接続して、高周波電流を流す（１次側）誘導線路の周波数に共振する直列共振回路を形成し、直列共振回路に、直列共振回路により発生する電圧を整流する整流回路を設け、これら整流回路を消費電力が変動する負荷へ接続している回路がある。
【０００５】
このように、直列共振回路を使用していることにより、重負荷になると、ピックアップコイルに際限なく電流が流れるため、コイルが発熱する。また直列共振回路は、基本的に定電圧の電流増幅回路であるので、所定の電圧を得るには、コアに巻くピックアップコイルの巻線数を増してやる必要があるが、このように巻線数が増すと、電流が流れたときに発熱しやすくなる。
【０００６】
従来の特許文献１に開示されているピックアップユニットでは、ピックアップコイルの巻数が１０〜２０ターンであるため、直列共振回路に必要な所定の電圧を得ることが困難であり、また巻線数が増すと、電流が流れたときに発熱してしまい、ピックアップコイルが発熱してしまうと、ピックアップコイルが焼け切れてしまうという問題や、コアに熱が伝わりコアの温度が上昇し、コアの磁気特性が変化し、すなわち透磁率が減少してインダクタンスが変化し、共振状態が崩れて、必要な出力を得ることができないという問題が発生する。またピックアップコイルは耐電圧が低いリッツ線から形成され、且つピックアップコイルのコイル電圧は、直列共振により増幅され９００Ｖ〜１０００Ｖに達して高圧となるため、ピックアップコイルが電気絶縁を維持できないという問題が発生する。またピックアップコイルと直列共振コンデンサ間を接続する電線も高圧となるため、この電線は低圧電線と引き回しを別にする必要があり、作業性や引き回しルートの設定が困難となるという問題が発生する。なお、ピックアップコイルに直列共振コンデンサを接続すると、コンデンサの電圧ベクトルがピックアップコイルと逆向きにでることにより、直列共振回路の両端の電圧はコイル電圧に戻され、所定の電圧が得られる。
【０００７】
また特許文献２に開示されているトランスと特許文献３に開示されている静止誘導電気機器では、コア（鉄心）が鋼板でありフィンのようにして熱を放出しているが、フェライトコアの場合には熱伝導率が低くフィン形状への加工も困難であるという問題があり、さらに特許文献３に開示されている静止誘導電気機器では、コイルがコアに密着していないために、磁束の漏れや線間浮遊容量が悪影響を及ぼして、変換効率が低下するという問題が発生する。無接触で起電力が誘起されるピックアップユニットでは、特に、磁束が通るフェライトにコイルが密着していないと、すなわちピックアップコイルとフェライトとの間に空隙が生じると、変換効率が低下してしまうという問題が発生する。
【０００８】
そこで、本発明は、直列共振回路において所定の電圧を得ることができ、発熱を抑えることができ、変換効率を改善できるピックアップユニットを提供することを目的としたものである。
【課題を解決するための手段】
【０００９】
前述した目的を達成するために、本発明のうち請求項１に記載の発明は、高周波電流が給電される一対の誘導線路により発生する磁束により起電力が誘起されるピックアップユニットであって、両凹部に前記誘導線路が配置される、断面がＥ字形状の第１フェライトと、断面が逆Ｌ字形状であり、その垂直部が前記第１フェライトの両側の各凸部上に重ねられ、水平部が前記第１フェライトの外方へ位置する第２フェライトと、前記第１フェライトの中央の凸部上に、前記第２フェライトの垂直部に対向して配置された第３フェライトと、前記第１フェライトの中央の凸部の両側部を支持する一対の非磁性金属製の支持具を備えて、前記第１フェライトと第２フェライトを外方から支持する非磁性金属製の支持部材と、前記第１フェライトの中央の凸部および前記支持部材の両支持具に渡って巻かれたピックアップコイルとを設けたことを特徴とするものである。
【００１０】
前記第１フェライトの中央の凸部の両側部とは、中央の凸部の４つの側部のうち前記誘導線路に対向しない側部である。また非磁性金属は、たとえばアルミニウム、ＳＵＳ３０４、銅などである。
【００１１】
上記構成によれば、ピックアップコイルに発生する熱は、フェライトより熱伝導率が良好な非磁性金属製の支持具に伝わり、さらにこの支持具より非磁性金属製の支持部材に伝わり放熱され、ピックアップコイルの発熱が抑えられる。なお、支持部材の支持具は非磁性金属ではあるが、第１フェライトの中央の凸部で、前記誘導線路に対向しない両側部に沿って配置されることにより、誘導線路に発生する磁束による、うず電流が発生しにくく、支持具自体が発熱することは殆どない。
【００１２】
また支持部材の支持具を第１フェライトの中央の凸部の両側部に設けることにより、ピックアップコイルを巻きやすくなり、作業効率が改善され、数多くのピックアップコイルを巻くことができ、直列共振回路として使用するときに必要な所定の電圧を得ることができる。
【００１３】
また前記第２フェライトと第３フェライトを設けたことにより、誘導線路の周りに発生する磁束を効率よく捕らえてピックアップコイルに交差でき、給電効率が改善される。また前記第１フェライトの両凹部の開放側では、断面がＬ字形状の第２フェライトの水平部が外方へ位置する（延びる）ことにより、前記第１フェライトの両凹部の開放側へ逃げてしまう磁束を、より効率的に捕らえることができる。
【００１４】
また請求項２に記載の発明は、請求項１に記載の発明であって、前記ピックアップコイルとして被覆付き絶縁電線を使用し、前記第１フェライトの中央の凸部および前記一対の支持具に渡って巻かれた前記被覆付き絶縁電線に対して、その広がりを防止する広がり防止手段を設けたことを特徴とするものである。
【００１５】
上記構成によれば、被覆付き絶縁電線は耐電圧が高いことにより、ピックアップコイルのコイル電圧が、直列共振により増幅され９００Ｖ〜１０００Ｖに達したときでも、ピックアップコイルは電気絶縁を維持できる。
【００１６】
また被覆付き絶縁電線を使用すると、ピックアップコイルが支持部材の支持具に巻かれることによりコイルボビンが存在しないこと、また支持部材の支持具に巻かれた被覆付き絶縁電線は張力を維持できないことにより、被覆付き絶縁電線は時間とともに次第に広がり、緩んだ状態となり、誘導線路と接触しやすくなる。また緩んだ状態では、線間浮遊容量が増して、コイル電圧に大きなノイズが発生する。そこで、絶縁電線の広がりを防止する広がり防止手段を設けると、緩んだ状態となることが回避され、これに伴い、ノイズの発生が抑えられる。
【００１７】
また請求項３に記載の発明は、請求項１または請求項２に記載の発明であって、前記支持部材に、前記ピックアップコイルと前記誘導線路の周波数に共振する直列共振回路を形成する共振コンデンサを取り付けたことを特徴とするものである。
【００１８】
上記構成によれば、ピックアップコイルのコイル電圧は、直列共振により増幅され９００Ｖ〜１０００Ｖに達して高圧するとき、ピックアップコイルと直列共振コンデンサ間を接続する電線も高圧となるが、共振コンデンサをピックアップユニットに取り付けると、ピックアップコイルを直接、共振コンデンサに接続することができ、ピックアップコイルと共振コンデンサとを接続する高圧電線が不要となり、引き回しをする必要がなくなる。よって、引き回しルートの設定が不要となり、かつ作業性が改善される。
【００１９】
また請求項４に記載の発明は、請求項３に記載の発明であって、前記共振コンデンサを２個のコンデンサにより構成し、これら２個のコンデンサを、前記第２フェライトの水平部を支持する前記支持部材の２つの水平支持部のうちの一方の裏面にまとめて取り付け、前記２個のコンデンサそれぞれの一方の端子間に前記ピックアップコイルを接続したことを特徴とするものである。
【００２０】
上記構成によれば、２個のコンデンサそれぞれの一方の端子間にピックアップコイルを接続することにより、２個のコンデンサそれぞれの他方の端子が、ピックアップユニットの引き出し端子として使用でき、配線処理がしやすくなり、メンテナンスが簡単になる。
【００２１】
また請求項５に記載の発明は、請求項１〜請求項４のいずれか１項に記載の発明であって、前記各支持具は、前記第１フェライトの中央の凸部の両側部の幅の寸法と同一の直径を有する半円柱形状の非磁性金属製の棒体により形成され、この半円柱形状の棒体の平面側面部をそれぞれ、第１フェライトの中央の凸部の両側部に接触させて前記ピックアップコイルが巻かれていることを特徴とするものである。
【００２２】
上記構成によれば、半円柱形状の棒体の平面側面部をそれぞれ第１フェライトの中央の凸部の両側部に接触させて設けることにより、ピックアップコイルを第１フェライトの中央の凸部に密着して巻くことができ、より変換効率を改善できる。
【００２３】
また請求項６に記載の発明は、請求項１〜請求項５のいずれか１項に記載の発明であって、前記第１フェライトの凸部の高さと、この凸部上に重ねられた前記第２フェライトと第３フェライトの高さとを、同一としたことを特徴とするものである。
【００２４】
上記構成によれば、ピックアップコイルとピックアップユニット（第１フェライト）の両凹部に対向する部材との干渉を防止しつつ、誘導線路がピックアップユニットの中央深部（第１フェライトの中央の凸部と第３フェライトからなる高さ方向の根元部）に位置することになり、より変換効率が改善される。
【００２５】
また請求項７に記載の発明は、請求項１〜請求項６のいずれか１項に記載の発明であって、前記第１フェライトを、断面がＥ字形状のフェライト板を複数連ねて形成し、前記第２フェライトと第３フェライトを、同一の矩形状のフェライト板を複数、組合せて形成したことを特徴とするものである。
【００２６】
上記構成によれば、各フェライト板は、大きな固まりのフェライトと比較して安価であり、安価なフェライト板を組合せることにより、ピックアップユニット自体を安価にすることができる。
【００２７】
また請求項８に記載の発明は、請求項７に記載の発明であって、前記第３フェライトは、前記同一の矩形状のフェライト板をブロック形状または断面Ｕ字形状に組合せて形成されていることを特徴とするものである。
【００２８】
上記構成によれば、同一の矩形状のフェライト板をブロック形状に重ねることにより組み立てが容易となる。また、同一の矩形状のフェライト板を、断面Ｕ字形状に形成すると、必要なフェライト板の枚数を減らすことが可能となる。
【００２９】
また請求項９に記載の発明は、請求項１〜請求項８のいずれか１項に記載の発明であって、前記支持部材の裏面に接触して冷却部材を設けたことを特徴とするものである。
上記構成によれば、ピックアップコイルに発生する熱は、アルミニウム製の支持具、アルミニウム製の支持部材を介して冷却部材に伝わり、より効率的に放熱され、ピックアップコイルの発熱がより抑えられる。
【発明の効果】
【００３０】
本発明のピックアップユニットは、上記構成により、ピックアップコイルに発生する熱を、フェライトより熱伝導率が良いアルミニウム製の支持具へ伝え、支持具より非磁性金属製の支持部材自体へ伝えて放熱することにより、ピックアップコイルの発熱を抑えることができる、という効果を有している。
【発明を実施するための最良の形態】
【００３１】
以下、本発明の実施の形態を図面に基づいて説明する。
［実施の形態１］
図１は本発明の実施の形態１におけるピックアップユニットの図であり、（ａ）は正面斜め上方から見た斜視図、（ｂ）は裏面斜めから見た斜視図、（ｃ）は回路図である。また図２は図１（ａ）のピックアップユニットの一部を切り欠いた斜視図、図３は同ピックアップユニットの分解斜視図である。
【００３２】
本発明のピックアップユニットＰは、高周波電流が給電される一対の誘導線路Ｌにより発生する磁束により起電力が誘導されるユニットで、特に直列共振回路を構成するために使用されるユニットである。
【００３３】
図１〜図３に示すように、ピックアップユニットＰには、両凹部の略中央にそれぞれ誘導線路Ｌが配置される、断面がＥ字形状の第１フェライト１１と、断面が逆Ｌ字形状であり、その垂直部１２ａが第１フェライト１１の両側の各凸部１１ａ上に重ねられ、水平部１２ｂが第１フェライト１１の外方へ位置する第２フェライト１２と、第１フェライト１１の中央の凸部１１ｂ上に重ねられたブロック形状の第３フェライト１３と、第１フェライト１１の中央の凸部１１ｂの４つの側部のうち誘導線路Ｌに対向しない両側部位置に配置され、中央の凸部１１ｂを前記両側部から支持する一対の半円柱形状（直径は前記側部の幅寸法と同じ）の棒体からなるアルミニウム（非磁性金属の一例）製の支持具３Ａが立設された（備えた）アルミニウム（非磁性金属の一例）製の第１プレート３、およびこの第１プレート３、第１フェライト１１および第２フェライト１２を外方から支持するアルミニウム（非磁性金属の一例）製の第２プレート４とからなる支持部材１４と、第１フェライト１１の中央の凸部１１ｂの側面および支持部材１４の第１プレート３の両支持具３Ａに渡って巻かれた、被覆付き絶縁電線からなるピックアップコイル１５と、支持部材１４の第２プレート４の裏面（第１フェライト１１の裏面側）に接触して固定された、誘導線路Ｌの向きに沿って３列のフィンを設けた熱伝導板（冷却部材の一例）１６と、巻かれたピックアップコイル１５が緩み誘導線路Ｌ側に広がることを防止するため、上方から押し込み、ピックアップコイル１５中央部を押える樹脂製の押え部材（広がり防止手段の一例）１７と、支持部材１４の第２プレート４の両側部の裏面（第２フェライト１２の水平部１２ｂの裏面側）にそれぞれ取り付けられ、ピックアップコイル１５と誘導線路Ｌの周波数に共振する直列共振回路を形成する２個の共振コンデンサ１８Ａ，１８Ｂとが設けられている。前記熱伝導板１６は、ピックアップユニットＰが誘導線路Ｌに沿って移動されるとき、フィン間の空隙に空気が通るように第２プレート４の裏面に設けられている。またピックアップコイル１５は、アルミニウム製の支持具３Ａ（半円柱形状の棒体）の平面側面部をそれぞれ、第１フェライト１１の中央の凸部１１ｂの両側部に接触させて巻かれている。またピックアップコイル１５の両端は、各共振コンデンサ１８Ａ，１８Ｂの一方の端子１９Ａに接続されており、各共振コンデンサ１８Ａ，１８Ｂの他方の端子１９ＢがピックアップユニットＰへの接続端子（アクセスポイント）として使用される。
【００３４】
ピックアップユニットＰのコアは、上記第１フェライト１１、第２フェライト１２および第３フェライト１３により構成される。
なお、第１フェライト１１の凸部１１ａ，１１ｂの高さと、これら凸部１１ａ，１１ｂ上に重ねられた第２フェライト１２と第３フェライト１３の高さとを、同一、あるいは略同一としている。
【００３５】
また図３に詳細に示すように、断面がＥ字形状の第１フェライト１１は、断面がＥ字形状のフェライト板１を複数（図では４個）、その凸部１１ａ，１１ｂを揃えて、中央に押え部材１７の幅に合わせた間隔を設けて、形成されている。
【００３６】
また第２フェライト１２の垂直部１２ａは、同一の正方形状（矩形状の一例）のフェライト板２を複数（図では２個）立て横方向（誘導線路Ｌの敷設方向）に並べて形成され、水平部１２ｂは、複数（図では５個）のフェライト板２を前記横方向および上方向に重ねて形成され、それぞれ第２プレート４にネジ止めされている。また第２フェライト１２には、第１フェライト１１に合わせて、中央に間隔が設けられている。
【００３７】
また第３フェライト１３は、第１フェライト１１を形成する２個のフェライト板１の中央凸部１１ｂ上にそれぞれ、中央凸部１１ｂの上部面積に相当する面積を有するフェライト板５を設け、これらフェライト板５上にそれぞれ、複数（図では５個）のフェライト板２を上方向に重ねて形成され、ブロック形状に形成されており、フェライト板１を貫通する貫通孔１１ｃを介して、支持部材１４の第１プレート３および第２プレート４にネジ止めされている。また第３フェライト１３にも、第１フェライト１１に合わせて、中央に間隔が設けられている。
【００３８】
また押え部材１７は、第１フェライト１１の中央に設けた隙間に合わせた寸法とされ、第１フェライト１１の隙間に位置する、ピックアップコイル１５の中央部を、両誘導線路Ｌ側から中へ押し、その反発力で固定されている。また押え部材１７が誘導線路Ｌ側へ突出することがないようにしている。
【００３９】
また支持部材１４の第１プレート３は、一対の支持具３Ａにより第１フェライト１１の中央の凸部１１ｂを外方から支持しており、また第２プレート４は、第１プレート３を底部から支持し、第１フェライト１１をＥ字形状の外方から支持し、さらに第２フェライト１２の垂直部１２ａと水平部１２ｂを外方から支持している。また第２プレート４には、その前記横方向の両端部に、外部との取り付け用部４ａが突設されている。
【００４０】
上記構成により、本実施の形態のピックアップユニットＰは、高周波電流が給電される一対の誘導線路Ｌにより発生する磁束によりピックアップコイル１５に起電力が誘起される。このとき、第２フェライト１２と第３フェライト１３を設けたことにより、誘導線路Ｌの周りに発生する磁束を効率よく捕らえてピックアップコイル１５に交差でき、給電効率を改善することができる。また断面がＬ字形状の第２フェライト１２の水平部１２ｂが外方へ位置する（延びる）ことにより、第１フェライト１１の両凹部の開放側へ逃げてしまう磁束を、より効率的に捕らえることができる。
【００４１】
また起電力が誘起されたことによりピックアップコイル１５に発生する熱は、フェライトより熱伝導率が良好なアルミニウム製の支持部材１４の第１プレート３の一対の支持具３Ａに伝わり、一対の支持具３Ａより、支持部材１４の第１プレート３および第２プレート４に伝わり放熱され、さらに支持部材１４の第２プレート４の裏面に接触して固定された熱伝導板１６（フィン）により効率よく放熱されることにより、ピックアップコイル１５の発熱を抑えることができる。よって、ピックアップコイル１５の発熱に起因してこれらピックアップコイル１５が焼け切れてしまうという問題や、第１フェライト１１の発熱に起因してコアの磁気特性が変化し、すなわち透磁率が減少してインダクタンスが変化し、直列共振回路として使用する場合、共振状態が崩れて、必要な出力を得ることができないという問題の発生を回避することができる。なお、支持具３Ａはアルミニウム製ではあるが、第１フェライト１１の中央の凸部１１ｂで、誘導線路Ｌに対向しない両側部に沿って配置されることにより、誘導線路Ｌに発生する磁束による、うず電流が発生しにくく、支持具３Ａ自体が発熱することは殆どない。
【００４２】
またアルミニウム製の支持部材１４の支持具３Ａを第１フェライト１１の中央の凸部１１ｂの両側部に設けることにより、ピックアップコイル１５を巻きやすくなり、作業効率が改善され、数多くのピックアップコイル１５を巻くことができ、直列共振回路として使用するときに必要な所定の電圧を得ることができる。
【００４３】
またアルミニウム製の半円柱形状の支持具３Ａの直径と第１フェライト１１の中央の凸部１１ｂの両側部の幅とが一致することにより、ピックアップコイル１５を第１フェライト１１の中央の凸部１１ｂに密着させて巻くことができ、変換効率を改善することができる。
【００４４】
またピックアップコイル１５とピックアップユニットＰ（第１フェライト１１）の両凹部に対向する部材（たとえば、図４に示す水平部材３５）との干渉を防止しつつ、誘導線路ＬがピックアップユニットＰの中央深部（第１フェライト１１の中央の凸部１１ｂと第３フェライト１３からなる高さ方向の根元部）に位置することになり、より多くの磁束が交差することによって変換効率を改善できる。
【００４５】
また各フェライト板１，２，５は、大きな固まりのフェライトと比較して安価であり、安価なフェライト板１，２，５を連ね、または組合せることにより、ピックアップユニットＰ自体を安価にすることができる。
【００４６】
またピックアップコイル１５に被覆付き絶縁電線を使用しており、この被覆付き絶縁電線は耐電圧が高いことにより、ピックアップコイル１５のコイル電圧が、直列共振により増幅され９００Ｖ〜１０００Ｖに達したときでも、電気絶縁を維持できる。
【００４７】
また、ピックアップコイル１５の中央部に、絶縁電線の広がりを防止する押え部材１７を取り付けたことにより、ピックアップコイル１５が緩んだ状態となることを回避でき、ノイズの発生を抑えることができる。なお、被覆付き絶縁電線を使用すると、ピックアップコイル１５が支持部材１４の支持具３Ａに巻かれることによりコイルボビンが存在しないこと、また支持部材１４の支持具３Ａに巻かれた被覆付き絶縁電線は張力を維持できないことにより、被覆付き絶縁電線は時間とともに次第に広がり、緩んだ状態となり、誘導線路Ｌと接触しやすくなる。また緩んだ状態では、線間浮遊容量が増して、コイル電圧に大きなノイズが発生する。
【００４８】
また支持部材１４に、ピックアップコイル１５と誘導線路Ｌの周波数に共振する直列共振回路を形成する共振コンデンサ１８Ａ，１８Ｂを取り付けたことにより、ピックアップコイル１５両端を直接、共振コンデンサ１８Ａ，１８Ｂの一方の端子１９Ａに接続することができ、ピックアップコイル１５と共振コンデンサ１８Ａ，１８Ｂとを接続する高圧電線が不要となり、高圧電線を引き回す必要をなくすことができ、したがって、高圧電線の引き回しルートの設定が不要となり、かつ作業性を改善できる。さらに、２個の共振コンデンサ１８Ａ，１８Ｂそれぞれの一方の端子１９Ａ間にピックアップコイル１５を接続することにより、２個の共振コンデンサ１８Ａ，１８Ｂそれぞれの他方の端子１９Ｂを、ピックアップユニットＰの接続端子（アクセスポイント）として使用でき、配線処理をしやすくできる。
【００４９】
また上記ピックアップユニットＰは、図４に示すように、実際に使用されるときは、第２プレート４の取り付け部４ａにより筒状の垂直支持体３１に垂設され、この垂直支持体３１が、水平支持体３２によりこの姿勢のまま給電する移動体（例えば、自走台車やスタッカークレーン）の車体３３に取り付けられる。また一対の誘導線路Ｌは、所定間隔毎に樹脂製の支持部材３４により、一定間隔を維持しつつ水平且つ平行に支持され、またこれら支持部材３４は、床面に平行な水平部材３５により垂直に支持されている。
【００５０】
また図５に示すように、上記ピックアップユニットＰを、間隔を空けて複数（図では５個）、１列に並べ、ピックアップボックスＢを構成し、このピックアップボックスＢを、取付部材４１により筒状の垂直支持体４２に垂設し、この垂直支持体４２を、水平支持体４３によりこの姿勢のまま車体３３に取り付けるようにしてもよい。またこのとき、複数のピックアップユニットＰのピックアップコイル１５を直列に接続して、発生する電圧を高めるようにしてもよい。
［実施の形態２］
図６は本発明の実施の形態２におけるピックアップユニットの図であり、（ａ）は正面斜め上方から見た斜視図、（ｂ）は裏面斜めから見た斜視図である。なお、実施の形態１と同一の構成には同一の符号を付している。
【００５１】
実施の形態２のピックアップユニットＰでは、実施の形態１における熱伝導板１６を外し、支持部材１４の第２プレート４から取り付け用部４ａを外している。そして、第１フェライト１１の底部および第１プレート３を底部から支持するアルミニウム（非磁性金属の一例）製の平面プレート２１と、第１フェライト１１のＥ字形状の外側部および第２フェライト１２の垂直部１２ａと水平部１２ｂを外方から支持する、アルミニウム（非磁性金属の一例）製のＬ字形状の一対のＬ形プレート２２Ａ，２２Ｂを設け、さらに断面が四角形状で、誘導線路Ｌの敷設方向に隙間を有するアルミニウム（非磁性金属の一例）製の棒体からなる２本の取付部材２３Ａ，２３Ｂを設け、平面プレート２１の一方の端部と一方のＬ形プレート２２Ａの垂直部の端部を、一方の取付部材２３Ａの側面にネジ止めし、平面プレート２１の他方の端部と他方のＬ形プレート２２Ｂの垂直部の端部を、他方の取付部材２３Ｂの側面にネジ止めすることにより、実施の形態１の第２プレート４に相当する支持部材１４を形成している。
【００５２】
この構成によれば、支持部材１４を３枚のプレート２１，２２Ａ，２２Ｂを取付部材２３Ａ，２３Ｂに取り付けて形成することにより、実施の形態１の第２プレート４のように１枚のプレートを曲げて形成するときと比較して工作が容易であり、支持部材１４を簡単に精度よく製作することができる。またアルミニウム製の取付部材２３Ａ，２３Ｂを設けたことにより、支持部材１４からこれら取付部材２３Ａ，２３Ｂに熱が伝わり放熱が行われることによって、取付部材２３Ａ，２３Ｂが冷却部材の代わりとなり、よって冷却部材（熱伝導板１６）を特に設ける必要を無くすことができる。
【００５３】
また実施の形態２のピックアップユニットＰでは、第２フェライト１２の垂直部１２ａを、長方形状（矩形状の一例）のフェライト板６を２個立てた姿勢で横方向（誘導線路Ｌの敷設方向）に間隔を設けて並べ、これらフェライト板６の上方にそれぞれ、直方形状（矩形状の一例）のフェライト板７を重ねて形成し、また第２フェライト１２の水平部１２ｂを、フェライト板７の上部側方に、直方形状（矩形状の一例）のフェライト板８を水平に連ねて形成し、それぞれＬ形プレート２２Ａ，２２Ｂにネジ止めしている。
【００５４】
また第３フェライト１３を、第１フェライト１１を形成する２個のフェライト板１の中央凸部１１ｂ上にそれぞれ、フェライト板５（図３）を設け、これらフェライト板５上にそれぞれ、１個のフェライト板２を上方向に重ね、さらに第２フェライト１２の垂直部１２ａに対向してフェライト板２の両側部上にそれぞれ、立てた姿勢とした直方形状（矩形状の一例）のフェライト板９を取り付けて、断面Ｕ字形状に形成している。またフェライト板９は、フェライト板２上に断面Ｕ字形状の取付部材１０をネジ止めし、この取付部材１０にネジ止めされている。
【００５５】
なお、以上のように第２フェライト１２と第３フェライト１３を形成したときでも、第１フェライト１１の凸部１１ａ，１１ｂの高さと、これら凸部１１ａ，１１ｂ上に重ねられた第２フェライト１２と第３フェライト１３の高さとを、同一、あるいは略同一としている。
【００５６】
この構成により、第３フェライト１３を形成するフェライト板の枚数を減らすことができ、作業性を向上させることができるともに、ピックアップユニットＰの重さを軽くすることができる。
【００５７】
また実施の形態２のピックアップユニットＰでは、一方のＬ形プレート２２Ａの水平部の裏面（第２フェライト１２の水平部１２ｂとは反対の面）に、２個の共振コンデンサ１８Ａ，１８Ｂをまとめて取り付け、これら２個の共振コンデンサ１８ａ，１８Ｂそれぞれの一方の端子１９Ａ間にピックアップコイル１５の両端を接続している。
【００５８】
この構成により、共振コンデンサを２個の共振コンデンサ１８Ａ，１８Ｂにより構成し、これら２個の共振コンデンサ１８ａ，１８Ｂそれぞれの一方の端子１９Ａ間にピックアップコイル１５を接続したことにより、２個のコンデンサそれぞれの他方の端子１９Ｂを、ピックアップユニット１５の接続端子（アクセスポイント）として使用でき、配線処理をしやすくでき、また２個の共振コンデンサ１８ａ，１８Ｂを、第２フェライトの水平部１２ｂを支持する支持部材１４の２つの水平支持部のうちの一方の裏面（一方のＬ形プレート２２Ａの水平部の裏面）にまとめて取り付けたことにより、メンテナンスを簡単にすることができる。
【００５９】
また上記構成によれば、図５に示すように、複数のピックアップユニットＰを連続して取り付けるとき、２本のアルミニウム製の取付部材２３Ａ，２３Ｂを使用して連続して取り付けると、各ピックアップユニットＰを精度よく、取り付けることができる。このとき、各ピックアップユニットＰを、ピックアップコイル１５を巻いて押え部材１７で押え、第３フェライト１３を組み立てた第１プレート３と、複数のＥ字形状のフェライト板１からなる第１フェライト１１を、支持部材１４を形成する３枚のプレート２１，２２Ａ，２２Ｂに取り付けた状態として、２本のアルミニウム製の取付部材２３Ａ，２３Ｂに取り付けると、各ピックアップユニットＰ間の間隔をより精度よく、且つ容易に取り付けることができる。なお、各ピックアップユニットＰは、２本のアルミニウム製の取付部材２３Ａ，２３Ｂに取り付けた後、第２フェライト１２と２個の共振コンデンサ１８Ａ，１８Ｂを組み立てる。
【００６０】
なお、本実施の形態１，２では、各フェライト１１，１２，１３を複数のフェライト板１，２，５を組合せて構成しているが、必ずしもフェライト板１，２，５を組合せて構成する必要はない。
【００６１】
また本実施の形態１，２では、支持具３Ａと第１プレート３と第２プレート４をアルミニウム製とし、また平面プレート２１とＬ形プレート２２Ａ，２２Ｂと取付部材２３Ａ，２３Ｂをアルミニウム製としているが、いずれもアルミニウム製に限ることはなく、非磁性金属製であればよく、ＳＵＳ３０４製、銅製などであってもよい。
【００６２】
また本実施の形態１では、冷却部材として、フィンを備えた熱伝導板１６を使用して空冷しているが、フィンの代わりに、冷却した物質（水等）が通る水冷装置を配置して冷却するようにすることもできる。
【００６３】
また本実施の形態１，２では、ピックアップコイル１５の広がり防止手段として、押え部材１７を設けているが、被覆付き絶縁電線を巻いた後、エナメルやワニスで固めてピックアップコイル１５の広がり防止するようにすることもできる。しかし、被覆付き絶縁電線の径（断面積）はリッツ線より大きく、エナメルやワニスで固めると厚さが増して誘導線路Ｌ側へ広がり、誘導線路Ｌと接触しやすくなることによりこのように固めることはあまり好ましくはない。
【００６４】
また本実施の形態１，２では、第１フェライト１１、第２フェライト１２および第３フェライト１３には、押え部材１７の幅に合わせた間隔（隙間）を設けているが、これら隙間に合わせた樹脂製の嵌合部材を設け、これら嵌合部材を隙間に嵌め込むようにすることもできる。
【図面の簡単な説明】
【００６５】
【図１】本発明の実施の形態１におけるピックアップユニットの図であり、（ａ）は正面斜め上方から見た斜視図、（ｂ）は裏面斜めから見た斜視図、（ｃ）は回路図である。
【図２】図１（ａ）のピックアップユニットの一部を切り欠いた斜視図である。
【図３】同ピックアップユニットの分解斜視図である。
【図４】同ピックアップユニットの誘導線路との位置関係を示す正面図である。
【図５】同ピックアップユニットを使用したピックアップボックスの底面図と側面図である。
【図６】本発明の実施の形態２におけるピックアップユニットの図であり、（ａ）は正面斜め上方から見た斜視図、（ｂ）は裏面斜めから見た斜視図である。
【符号の説明】
【００６６】
Ｌ    誘導線路
Ｐ    ピックアップユニット
Ｂ    ピックアップボックス
１，２，５〜９  フェライト板
３    第１プレート
３Ａ  支持具
４    第２プレート
１１  第１フェライト
１２  第２フェライト
１３  第３フェライト
１４  支持部材
１５  ピックアップコイル
１６  熱伝導板
１７  押え部材
１８  共振コンデンサ
２１  平面プレート
２２  Ｌ形プレート
【図１】
2007195265.tif 000003
【図２】
2007195265.tif 000004
【図３】
2007195265.tif 000005
【図４】
2007195265.tif 000006
【図５】
2007195265.tif 000007
【図６】
2007195265.tif 000008